(57)【要約】      （修正有）【課題】スライド式の２枚の蓋体を有する矩形状マンホールを提供する。【解決手段】回転ローラ４７ａによってレール上をスライド移動する２分割された蓋体４、５を有する蓋３を備えた矩形状マンホール１において、蓋体は、内側辺部４ａの両端下部に、回転ローラを有するブラケットが枢動可能に取り付けられ、回転ローラが取り付け位置の真下よりも外側辺部４ｂがわに位置する収納状態と、内側辺部がわに位置する移動状態とに切替可能なローラ装置４１ａを備え、レールに収納状態のときに回転ローラが嵌まる凹部２６ａを有し、受枠２の中心位置に一対の蓋止部２５ａを有し、蓋体は、受枠への嵌合時、蓋止部に内側辺部の両端が当接し、回転ローラが凹部に嵌っており、受枠から外す時、内側辺部を軸に外側辺部を持ち上げ、内側辺部を上方に持ち上げて蓋部を蓋止部から外し、外側辺部を外側へ移動することにより、ローラ装置を移動状態に切替える。【選択図】図１
2015025345.tif 000002
【特許請求の範囲】
【請求項１】
矩形の受枠と、前記受枠に嵌る２つの矩形の蓋体から成る蓋とを備え、前記受枠は、向かい合う一対の長辺部および一対の短辺部で構成され、前記蓋体をスライド移動させるための一対のレールを前記長辺部の向かい合う側に有し、前記蓋体は、前記一対の長辺部の中心位置同士を結ぶ線を境界に２つの蓋体に分割されている矩形状マンホールにおいて、
前記２つの蓋体は、それぞれ、前記分割した線に沿う内側辺部と該内側辺部に向かい合う位置にある外側辺部とを有し、前記レール上を回転移動する回転ローラを備えたローラ装置を、前記内側辺部の両端下部にそれぞれ有しており、
前記ローラ装置は、前記蓋体の下面に設けられた突起部下端から所定距離の位置に前記回転ローラを取り付けるために、前記突起部下端に枢軸により枢動可能に取り付けたブラケットを備え、
前記ブラケットは、前記回転ローラが前記突起部の真下よりも前記外側辺部がわに位置する収納状態と、前記回転ローラが前記突起部の真下よりも前記内側辺部がわに位置し、前記蓋体が前記回転ローラにより前記レール上を移動可能となる移動状態と、の２ステート間を枢動することにより切り替わるようになっており、
前記レールは、外側辺部から内側辺部に向けて設けられ、前記中心位置手前の位置に、前記ブラケットが前記収納状態のときに前記回転ローラの下側部分が嵌まる半円状の凹部を有しており、
前記受枠は前記中心位置に前記レール上で内向きに突出している一対の蓋止部を有し、
前記２つの蓋体は、前記受枠に嵌合された状態において、前記一対の蓋止部に前記内側辺部の両端が当接し、前記収納位置にある前記回転ローラが前記凹部に嵌っており、
前記蓋体が前記受枠から外される際に、前記蓋体の外側辺部が、前記内側辺部を軸に回転するように持ち上げられて、外側方向にスライド移動されることにより、前記ブラケットが前記収納状態から前記移動状態へと枢動し、内側辺部を上方に持ち上げて前記蓋止部から外し、前記回転ローラが前記凹部から外れて前記レール上を外側へと移動可能となることを特徴とする矩形状マンホール。
【請求項２】
前記ローラ装置は、前記ブラケットに前記回転ローラよりも前記外側辺部に近い位置に補助ローラを備え、前記回転ローラと補助ローラは、前記ブラケットに前記枢軸を頂点とした三角形の他の２つの頂点位置にあり、前記補助ローラは、前記レールに接するように構成されていることを特徴とする請求項１に記載の矩形状マンホール。
【請求項３】
前記ブラケットが枢動して前記収納状態から前記移動状態へと切り替わるときに、前記回転ローラが前記突起部の真下を越えたのちは、前記蓋体を含む重力により該切り替えが付勢されることを特徴とする請求項1又は請求項２に記載の矩形状マンホール。
【請求項４】
前記ブラケットは、該ブラケットに負荷がかかっていないときに、前記移動状態となるように付勢する弾性体を備えていることを特徴とする請求項１に記載の矩形状マンホール。
【発明の詳細な説明】
【技術分野】
【０００１】
本発明は、スライドさせることにより開閉する矩形状マンホールに関する。
【背景技術】
【０００２】
矩形の受枠と、前記受枠に嵌められており、スライドさせることにより開閉する蓋とを備えている矩形状のマンホールが知られている。例えば、前記蓋が、矩形の受枠の中央に、受枠を分割するように嵌められている１枚のセンター蓋体と、このセンター蓋体に当接するようにしてセットされるスライド式の２枚の蓋体と、で構成されている矩形状のマンホールが知られている（特許文献１を参照）。
【先行技術文献】
【特許文献】
【０００３】
【特許文献１】特許４５９３３７１号公報
【発明の概要】
【発明が解決しようとする課題】
【０００４】
特許文献１に記載のスライド式の２枚の蓋体の先頭部分の両端には、縁よりも前方斜め下向きに突出している一対のブラケット（ローラホルダー）と、前記一対のブラケットの先端にそれぞれ取り付けられている回転ローラと、が設けられている。回転ローラは、矩形の受枠の長手方向に沿って設けられているレール上をスライド移動する。センター蓋体は、２枚の蓋体の先端部分に当接することにより位置決めを行うと同時に、２枚の蓋体の先頭部分の両端に、前縁から突出している一対の回転ローラを収納するスペースを確保するのに用いられている。センター蓋体を無くすには、２枚の蓋体にそれぞれ設けてある１対の回転ローラが衝突しないように、少なくとも一方の回転ローラを内側にシフトして配置する必要がある。しかしこの構成では、シフトして配置した回転ローラのためのレールを追加する必要があり、受枠の構造が複雑化してしまう。
【０００５】
本発明は、上記の問題を解決し、受枠の構造を複雑化することなく、センター蓋体を用いない、スライド式の２枚の蓋体だけで蓋が構成されている矩形状マンホールを提供することを目的とする。
【課題を解決するための手段】
【０００６】
上記目的を達成するために本発明は、矩形の受枠と、前記受枠に嵌る２つの矩形の蓋体から成る蓋とを備え、前記受枠は、向かい合う一対の長辺部および一対の短辺部で構成され、前記蓋体をスライド移動させるための一対のレールを前記長辺部の向かい合う側に有し、前記蓋体は、前記一対の長辺部の中心位置同士を結ぶ線を境界に２つの蓋体に分割されている矩形状マンホールにおいて、前記２つの蓋体は、それぞれ、前記分割した線に沿う内側辺部と該内側辺部に向かい合う位置にある外側辺部とを有し、前記レール上を回転移動する回転ローラを備えたローラ装置を、前記内側辺部の両端下部にそれぞれ有しており、前記ローラ装置は、前記蓋体の下面に設けられた突起部下端から所定距離の位置に前記回転ローラを取り付けるために、前記突起部下端に枢軸により枢動可能に取り付けたブラケットを備え、前記ブラケットは、前記回転ローラが前記突起部の真下よりも前記外側辺部がわに位置する収納状態と、前記回転ローラが前記突起部の真下よりも前記内側辺部がわに位置し、前記蓋体が前記回転ローラにより前記レール上を移動可能となる移動状態と、の２ステート間を枢動することにより切り替わるようになっており、前記レールは、外側辺部から内側辺部に向けて設けられ、前記中心位置手前の位置に、前記ブラケットが前記収納状態のときに前記回転ローラの下側部分が嵌まる半円状の凹部を有しており、前記受枠は前記中心位置に前記レール上で内向きに突出している一対の蓋止部を有し、前記２つの蓋体は、前記受枠に嵌合された状態において、前記一対の蓋止部に前記内側辺部の両端が当接し、前記収納位置にある前記回転ローラが前記凹部に嵌っており、前記蓋体が前記受枠から外される際に、前記蓋体の外側辺部が、前記内側辺部を軸に回転するように持ち上げられて、外側方向にスライド移動されることにより、前記ブラケットが前記収納状態から前記移動状態へと枢動し、内側辺部を上方に持ち上げて前記蓋止部から外し、前記回転ローラが前記凹部から外れて前記レール上を外側へと移動可能となることを特徴とする。
【０００７】
前記ローラ装置は、前記ブラケットに前記回転ローラよりも前記外側辺部に近い位置に補助ローラを備え、前記回転ローラと補助ローラは、前記ブラケットに前記枢軸を頂点とした三角形の他の２つの頂点位置にあり、前記補助ローラは、前記レールに接するように構成されていることが好ましい。
【０００８】
前記ブラケットが枢動して前記収納状態から前記移動状態へと切り替わるときに、前記回転ローラが前記突起部の真下を越えたのちは、前記蓋体を含む重力により該切り替えが付勢されることが好ましい。
【０００９】
前記ブラケットは、該ブラケットに負荷がかかっていないときに、前記移動状態となるように付勢する弾性体を備えていることが好ましい。
【発明の効果】
【００１０】
本発明によれば、２分割されている蓋の各蓋体の外側辺部を蓋を開けるために持ち上げる際、回転ローラを備えているブラケットが、蓋体の突起部の枢軸を中心に枢動することにより、蓋体の内側辺部が略直上方向にせり上がる。このため、蓋体は、受枠上で引きずられずに、持ち上げられるため、受枠を傷つけない。また、回転ローラが凹部に嵌っている状態で、蓋体の外側辺部を外側に移動させることにより、ブラケットを収納状態から移動状態に変え、蓋体を引きずるのではなく、回転ローラによりレールに沿って移動させることができるようになる。収納状態と移動状態の２ステート間を枢動するブラケットを用いたことによって、回転ローラを蓋体の内側辺部から他方の蓋体の向きに突出するような形態で配設する必要がなくなる。これにより、受枠の中心位置に、蓋体の位置決めのための蓋止部のみを設ける構成を採用することができる。
【図面の簡単な説明】
【００１１】
【図１】（ａ）は本発明の一実施の形態に係るスライド式の矩形状マンホールの概略構成を示す斜視図、（ｂ）は一方の蓋体を開ける動作の開始時の内側辺部近傍の矢視図、（ｃ）は同蓋体を外側へと動かす際の内側辺部近傍の矢視図。
【図２】本発明の一実施の形態に係るスライド式の矩形状マンホールの平面図。
【図３】同矩形状マンホールの一方の蓋体を取り除いた状態を示す平面図。
【図４】同矩形状マンホールのＡ−Ａ’断面図。
【図５】同矩形状マンホールのＢ−Ｂ’断面図。
【図６】同矩形状マンホールの受枠の平面図。
【図７】同受枠のＣ−Ｃ’断面図。
【図８】（ａ）は同受枠のＤ−Ｄ’断面図、（ｂ）は（ａ）において点線で囲んで示す範囲の拡大図。
【図９】同矩形状マンホールの蓋体の平面図。
【図１０】同蓋体のＥ−Ｅ’矢視図。
【図１１】同蓋体の裏面図。
【図１２】同蓋体のＦ−Ｆ’断面図。
【図１３】同蓋体のローラ部の概略構成図。
【図１４】同ローラ部のＧ−Ｇ’矢視図。
【図１５】（ａ）〜（ｉ）は、蓋体の外側辺部を持ち上げ、外側へと移動させる場合の逐次タイミングでのローラ部の様子を示す側面図。
【図１６】同蓋体のローラ部の変形例の概略構成図。
【図１７】（ａ）〜（ｉ）は、変形例に係るローラ部を備えている蓋体の外側辺部を持ち上げ、外側へと移動させる場合の逐次タイミングでのローラ部の様子を示す側面図。
【図１８】収納状態にある同変形例に係るローラ部の構成を示す側面図。
【発明を実施するための形態】
【００１２】
本発明の矩形状マンホールは、地中に埋設される矩形の受枠と、２つの蓋体に分割されている矩形の蓋とを備えている。蓋体の内側辺部がわの下面両端には、回転ローラを収納状態と移動状態の２ステート間で枢動可能となるように枢軸に取り付けるブラケットを有するローラ装置が設けられている。受枠には、ローラ装置用のレールが設けられており、該レールの中心位置手前の位置には、収納状態のときにブラケットの回転ローラが嵌まる半円状の凹部が設けられている。また、受枠の中心位置には、蓋体の内側辺部に両端で当接する一対の蓋止部を有している。収納状態のとき、蓋体は、蓋止部に当接し、回転ローラを凹部に嵌めた状態で受枠に嵌る。蓋体を開けるために該蓋体の外側辺部を持ち上げる際、枢軸を中心にブラケットが枢動することにより、蓋体の内側辺部が略直上方向にせり上がる。このため、蓋体は、受枠上で引きずられずに、持ち上げられるため、受枠を傷つけない。各蓋体の外側辺部を、外側に移動させることにより、ブラケットが移動状態に切り替わる。当該構成のローラ部を用いることにより、回転ローラを内側辺部よりも前方に突出させる構成を不要にし、結果、２つの蓋体の間に所定幅のセンター蓋体を設けることを不要にする。
【００１３】
図１乃至図１５は、実施形態１に係る矩形状マンホール１の構成を示す。図１を参照してマンホール１の概略構成について説明する。図１（ａ）に示すように、マンホール１は、地中５０に埋設されている矩形の受枠２と、該受枠２に嵌る蓋３とで構成されている。蓋３は、同じ構成の２つの蓋体４、５に分割されている。蓋体４を開ける場合、作業者は、周知の矩形状マンホールの蓋と同様に、蓋体４の外側辺部４ｂ付近にレバー６を取り付け、このレバー６を持ち上げて蓋体４を上向き（矢印Ｙ１）方向にわずかに持ち上げ、その後、レバー６を外側（矢印Ｙ２）方向に移動する。
【００１４】
蓋体４の内側辺部４ａの下面両端には、枢軸で枢動可能に取り付けられているローラ装置４１ａ、４１ｂが設けられている。受枠２には、ローラ装置４１ａ、４１ｂが走行するレール（例えば図示するレール部２３ａ、その他は図３、図６を参照）が設けてある。
【００１５】
図１（ｂ）（ｃ）の矢視図は、（ａ）に示す矢印Ｙ３方向から見たローラ装置４１ａの様子を示す。図１（ｂ）に示すように、蓋体４が受枠２に嵌っている場合、蓋体４の内側辺部４ａは受枠２に設けてある蓋止部２５ａに当接している。また、ローラ装置４１ａが備えている回転ローラ４７ａは、レール部２３ａに設けてある凹部２６ａに嵌っている。蓋体４を上向き（矢印Ｙ１）方向に持ち上げることによって、枢軸４４ａが外側（矢印Ｙ４）方向に移動し、蓋体４の内側辺部４ａを略直上（矢印Ｙ５）方向にせり上げる力が作用する。
【００１６】
図１（ｃ）に示すように、外側辺部４ｂを矢印Ｙ１方向に持ち上げることによって内側辺部４ａの上端部分は矢印Ｙ５方向にせり上がる。その後、蓋体４を矢印Ｙ２方向に移動することにより、ローラ装置４１ａの補助ローラ４８ａが矢印Ｙ６方向に移動する。さらに、レバー６（図１（ａ）を参照）を矢印Ｙ２方向に移動させることにより、ローラ装置４１ａの回転ローラ４７ａと補助ローラ４８ａは、レール部２３ａ上を回転移動する。
【００１７】
図２乃至図１５を参照し、各構成要素について説明する。図２に示すように、マンホール１は、受枠２と蓋３とを有しており、受枠２は、向かい合う一対の長辺部２１ａ、２１ｂおよび一対の短辺部２２ａ、２２ｂを有している。蓋３は、長辺部２１ａ、２１ｂの中心位置Ｐ１、Ｐ２を結ぶ線を境界に２つの蓋体４、５に分割されている。２つの蓋体４、５は、それぞれ、前記分割した線に沿う内側辺部４ａ、５ａと、外側辺部４ｂ、５ｂと、を有している。
【００１８】
図３に示すように、受枠２の長辺部２１ａ、２１ｂには、各蓋体４、５を外側へとスライド移動させる際に、蓋体４、５の下面に設けてあるローラ装置（図１、図４等参照）が通過する一対のレール２３、２４が設けられている（図６も参照）。
【００１９】
図４に示すように、蓋体４、５の内側辺部４ａ、５ａの下面両端には、レール２３、２４上を回転移動する一対のローラ装置４１ａ、４１ｂ、５１ａ、５１ｂが設けられている。例えば蓋体４は、外側辺部４ｂにレバー６を取り付け、該レバー６を上方（矢印Ｙ１方向）に持ち上げた状態で、外側（矢印Ｙ２方向）に移動することにより開けられる。蓋体４、５の下側ほぼ中央付近には、陸地用ローラ８、９が設けられている。ローラ８、９を接地させた後、レバー６には外側に移動させる力のみをかければよい。
【００２０】
図５、図６、図７、図８に示すように、受枠２の中心位置Ｐ１、Ｐ２には、レール２３、２４の上側で、蓋体４、５の表面と同じ高さの位置に、受枠２の内側に向けて突出している一対の蓋止部２５ａ、２５ｂが設けられている。２つの蓋体４、５の内側辺部４ａ，５ａの両端は、受枠２に嵌められるとき、この一対の蓋止部２５ａ、２５ｂに当接することによって位置決めされる。
【００２１】
図６に示すように、レール２３とレール２４は、同じ構成を有しており、蓋体４、５の外側辺部４ｂ、５ｂから内側辺部４ａ、５ａに向けて設けられているレール部２３ａ、２３ｂ、２４ａ、２４ｂで構成されている。図８（ａ）は、レール２３のレール部２３ａ、２３ｂを受枠２の内側から見た図を示す。図８（ｂ）に示すように、レール部２３ａ、２３ｂの中心位置Ｐ１手前の位置には、蓋体４のローラ装置４１ａ、蓋体５のローラ装置５１ａのそれぞれの回転ローラ（図９を参照）が嵌まる半円状の凹部２６ａ、２６ｂが設けられている。半円状の凹部２６ａ、２６ｂは、蓋体を外側方向へ移動させやすいように、凹部の下側部分とレールとの間を、図８（ｂ）に示す凹部形状よりも比較的緩いスロープによって連結する構成を含む。
【００２２】
図９乃至図１４に示すように、蓋体４、５のローラ装置４１ａ、４１ｂ、５１ａ、５１ｂは、内側辺部４ａ、５ａの下面両端の位置に設けられている。図９に示すように、蓋体４、５の両端部分は、受枠２の蓋止部２５ａ、２５ｂに嵌る形状の凹状の切り欠き４２ａ、４２ｂ、５２ａ、５２ｂが設けられている。図１０、図１１に示すように、ローラ装置４１ａ、４１ｂ、５１ａ、５１ｂは、それぞれ蓋体４、５下に設けてある枢軸４４ａ、５４ａに枢動可能に取り付けられている回転ローラを有している。また、図１１、図１２に示すように、蓋体４、５の底面のほぼ中央付近には、陸地用ローラ８、９が設けられている。
【００２３】
ローラ装置４１ｂは、ローラ装置４１ａと同様の構成を有しており、図１０に示すように、ローラ装置４１ａと左右対称となるように、内側辺部４ａの他端に設けられている。ローラ装置５１ａ、５１ｂは、図９、図１１に示すように、ローラ装置４１ａ、４１ｂと同様の構成を有している。ローラ装置４１ａの構成について、図１３、図１４を参照しつつ説明し、その他のローラ装置４１ｂ、５１ａ、５１ｂについての重複した説明は省く。ローラ装置４１ａは、蓋体４の内側辺部４ａの下面に設けた所定長の突起部４３ａと、突起部４３ａの下端の枢軸４４ａ（図１０を参照）に枢動可能に取り付けられているブラケット４５ａとを備えている。ブラケット４５ａは、枢軸４４ａを頂点とした略三角形のフレーム４６ａを有しており、この三角形フレーム４６ａの他の２つの頂点位置に、回転ローラ４７ａと、補助ローラ４８ａとを備えている。
【００２４】
ブラケット４５ａは、収納状態Ｓ１と移動状態Ｓ２との２ステート間で枢動可能になっている。収納状態Ｓ１とは、回転ローラ４７ａが突起部４３ａの真下よりも外側辺部４ｂがわに位置する状態をいう（図１（ｂ）を参照）。移動状態Ｓ２とは、回転ローラ４７ａが突起部４３ａの真下よりも内側辺部４ａがわに位置し、蓋体４が回転ローラ４７ａによりレール２３上を移動可能となる状態をいう（図１（ｃ）において右側に移動している蓋体４のブラケットの状態を参照）。移動状態Ｓ２のとき、ブラケット４５ａの回転ローラ４７ａと補助ローラ４８ａとは、レール２３に接している。
【００２５】
図１５（ａ）〜（ｉ）を参照しつつ、蓋体４を外側位置へスライド移動させる場合のブラケット４５ａの一連の動きについて説明する。図１５（ａ）に示すように、蓋体４の内側辺部４ａの両端の切り欠き４２ａを、矢印Ｙ１０方向に移動させて蓋止部２５ａに当接し、蓋体４を受枠２に嵌める。この際、ブラケットの回転ローラ４７ａは、蓋体４が受枠２に嵌ると同時に、重力によってレール部２３ａに設けた凹部２６ａに嵌る。図１５（ｂ）は、収納状態Ｓ１（点線で囲んで示す状態）にあるブラケット４５ａを示す（図１（ｂ）を参照）。
【００２６】
次に、蓋体４をスライドさせて開ける場合について説明する。まず、蓋体４の外側辺部４ｂにレバー６（図１（ａ）を参照）を取り付け、図１５（ｃ）に示すように、内側辺部４ａを軸として外側辺部４ｂ（図示せず）を上方（矢印Ｙ１１方向）に持ち上げる。図１５（ｃ）〜（ｆ）は、蓋体４を３度から１２度の仰角となるまで持ち上げる間のブラケット４５ａの様子を示す。回転ローラ４７ａを有しているブラケット４５ａは、回転ローラ４７ａが凹部２６ａに嵌っているため、この凹部２６ａの位置で枢動する。他方、ブラケット４５ａと突起部４３ａとの取り付け箇所は、枢軸４４ａを軸に枢動する。この結果、蓋体４の内側辺部４ａが略直上方向（矢印Ｙ１２方向）にせり上がる。蓋体４の底面は、受枠２上で引きずられずに、略直上に持ち上げられるため、受枠２を傷つけない。
【００２７】
図１５（ｇ）、（ｈ）に示すように、蓋体４の外側辺部４ｂを、外側（矢印Ｙ１３方向）に移動させることにより、回転ローラ４７ａが突起部４３ａの真下を通過した後は、蓋体４への重力の作用に従って、収納状態Ｓ１から移動状態Ｓ２へと切り替わろうとする力がブラケット４５ａにかかり、ブラケット４５ａは速やかに移動状態Ｓ２へと切り替わる（図１（ｃ）を参照）。図１５（ｉ）に示すように、ブラケット４５ａが移動状態Ｓ２に切り替わった後、さらに、蓋体４の外側辺部４ｂを外側（矢印Ｙ１３方向）に移動することによって、回転ローラ４７ａが凹部２６ａから脱し、補助ローラ４８ａとともにレール部２３ａ上を外側へと移動する。補助ローラ４８ａは、図１５（ｈ）の状態でレール部２３ａに接し始め、蓋体４からの圧力を分散することによって、回転ローラ４７ａが凹部２６ａから脱するのに要する力を低減する。
【００２８】
蓋体４、５は、ローラ装置４１ａと同じ構成のローラ装置４１ｂ、５１ａ、５１ｂを備えているので、マンホール１には、蓋体４、５を受枠２に嵌めているときに、一方の蓋体から他方の蓋体の方向へと突出す部品が無い。この結果、２つの蓋体４、５の間には、ローラ装置を収納するための所定幅のセンター蓋体等の構造物は、不要である。
【００２９】
（実施形態２）
実施形態２に係るマンホールは、実施形態１に係るマンホール１の蓋体４、５が備えていたローラ装置４１ａ、４１ｂ、５１ａ、５１ｂの変形例として、収納状態Ｓ１と移動状態Ｓ２との２ステート間で枢動可能に取り付けられており、弾性体によって収納状態Ｓ１に付勢されているブラケットを有するローラ装置６１ａ、６１ｂ、７１ａ、７１ｂを備えていることを特徴とする。
【００３０】
ローラ装置６１ａ、６１ｂ、７１ａ、７１ｂはそれぞれ同じ構成を有している。以下、ローラ装置６１ａの構成について説明する。説明に際し、実施形態１のマンホール１と同じ構成要素には同じ参照番号を付して、ここでの重複した説明は省く。
【００３１】
図１６に示すように、ローラ装置６１ａは、蓋体４の内側辺部４ａの下面に設けた所定長の突起部６２ａと、突起部６２ａの下端の枢軸６３ａに枢動可能に取り付けられているブラケット６４ａとを備えている。ブラケット６４ａは、枢軸６３ａから所定距離の位置に回転ローラ６５ａを取り付けるロッド状部材である。ブラケット６４ａは、図１６に実線で描いている収納状態Ｓ１から点線で描いている移動状態Ｓ２の２ステート間を枢動する。ブラケット６４ａは、枢軸６３ａに沿って巻き付けられているコイルばね状の弾性体６６ａによって常に移動状態Ｓ２方向に付勢されている。
【００３２】
図１７（ａ）〜（ｉ）を参照しつつ、蓋体４を外側位置へスライド移動させる場合のブラケット６４ａの動きについて説明する。なお、理解の容易化のため、図１７（ａ）〜（ｆ）には、弾性体６６ａの描写を省略する。図１７（ａ）に示すように、蓋体４の内側辺部４ａの両端の切り欠き４２ａを、矢印Ｙ２０方向に移動して蓋止部２５ａに当接し、蓋体４を受枠２に嵌める。この際、ブラケット６４ａの回転ローラ６５ａは、弾性体６６ａの力に抗しながら、蓋体４の自重によって受枠２に嵌ると同時に、レール部２４ａに設けた凹部２６ａに嵌る。図１７（ｂ）は、収納状態Ｓ１にあるブラケット６４ａを示す。図１８は、この収納状態Ｓ１のときのブラケット６４ａの様子を矢印Ｙ２１方向から見た図を示す。
【００３３】
図１７（ｃ）〜（ｈ）を参照しつつ、蓋体４をスライドさせて開ける場合について説明する。まず、蓋体４の外側辺部４ｂにレバー６（図１（ａ）を参照）を取り付け、内側辺部４ａを軸として上方（矢印Ｙ２２方向）に持ち上げる。図１７（ｃ）〜（ｆ）は、蓋体４を３度から１２度の仰角まで持ち上げる間のブラケット６４ａの様子を示す。回転ローラ６５ａに取り付けられているブラケット６４ａは、回転ローラ６５ａが凹部２６ａに嵌っているため、この凹部２６ａの位置で枢動する。他方、ブラケット６４ａの突起部６２ａとの取り付け箇所は、枢軸６３ａで枢動する。この結果、蓋体４の内側辺部４ａが略直上方向（矢印Ｙ２３方向）にせり上がる。蓋体４の底面は、受枠２上で引きずられずに、略直上に持ち上げられるため、受枠２を傷つけない。
【００３４】
ブラケット６４ａは、弾性体６６ａによって常に移動状態Ｓ２方向に付勢されているため、外側辺部４ｂを持ち上げるのと略同時に、図１７（ｇ）の状態から（ｈ）に示す状態に切り替わる。作業者は、この状態の切り替わりを意識することなく蓋体４を外側（矢印Ｙ２４方向）へと移動させるが、この切り替わりの際に生じる力が補助力として働くため、作業者は回転ローラ６５ａをスムーズに凹部２６ａから外し、蓋体４を外側へとスライド移動させることができる。
【００３５】
なお、本発明は、上記各種実施形態の構成に限られず、発明の趣旨を変更しない範囲で種々の変形が可能である。例えばブラケットは、制御部によって回転方向の制御がされるモータによって収納状態Ｓ１、移動状態Ｓ２の２ステート間を枢動可能な構成を採用することもできる。
【産業上の利用可能性】
【００３６】
本発明のマンホールは、主に人が地下通路などの施設へ出入りする際に用いるが、地表付近に埋設されている光ファイバー等の情報ボックス、水道管、電線の制御盤のマンホールに用いてもよい。
【符号の説明】
【００３７】
１              マンホール
２              受枠
３              蓋
４、５          蓋体
２１ａ、２１ｂ  長辺部
２２ａ、２２ｂ  短辺部
２３、２４      レール
４ａ、５ａ      内側辺部
４ｂ、５ｂ      外側辺部
２５ａ、２５ｂ  蓋止部
２６ａ、２６ｂ、２７ａ、２７ｂ  凹部
４１ａ、４１ｂ、５１ａ、５１ｂ  ローラ装置
４４ａ、５４ａ、６３ａ  枢軸
４６ａ、６４ａ  ブラケット
４７ａ、６５ａ  回転ローラ
４８ａ          補助ローラ
６６ａ          弾性体
Ｓ１            収納状態
Ｓ２            移動状態
【図１】
2015025345.tif 000003
【図２】
2015025345.tif 000004
【図３】
2015025345.tif 000005
【図４】
2015025345.tif 000006
【図５】
2015025345.tif 000007
【図６】
2015025345.tif 000008
【図７】
2015025345.tif 000009
【図８】
2015025345.tif 000010
【図９】
2015025345.tif 000011
【図１０】
2015025345.tif 000012
【図１１】
2015025345.tif 000013
【図１２】
2015025345.tif 000014
【図１３】
2015025345.tif 000015
【図１４】
2015025345.tif 000016
【図１５】
2015025345.tif 000017
【図１６】
2015025345.tif 000018
【図１７】
2015025345.tif 000019
【図１８】
2015025345.tif 000020